(57)【要約】      （修正有）【課題】  建築物，構築物の新規施工に当って、設計段階の構造検証と施工段階の安全検証を容易且つ明瞭にして実現すること。【解決手段】  建築物，構築物の新規施工に当って、施工のための設計図書，構造計算書などの２次元データに基づいて施工すべき築造物の全体像とコンクリート，型枠，支保工などの材質と数量および鉄筋径，本数，被り厚などの把握を容易にするために、該設計図書等を元にして３次元設計システムを用いて３次元ビジュアルを作成し、築造すべき全体像と各資材を箇別に積算し得るようにして、専門家を含む第三者機関などにて該２次元データを明確に検証し得るようにするとともに、施工状況を３次元画像を含んでＷｅｂサイトにてリアルタイムに公開して、設計通りの施工かどうか検証できるようにし、打設コンクリート中の鉄筋径，本数，被り厚等を施工後も検証可能にして、耐震強度等の不足のない建築物，構築物を築造するようにした。【選択図】図１
2007304679.tif 000002
【特許請求の範囲】
【請求項１】
建築物，構築物の新規施工に当って、作成した設計図書，構造計算書などの２次元データに基づいて施工すべき築造物の全体像とコンクリート，型枠，支保工などの材質を含む資材と数量および鉄筋径，本数，被り厚などを容易に把握するために、該２次元データを元にして３次元設計システムを用いて３次元ビジュアルを作成して、築造すべき全体像と各資材を箇別に積算し得るようにして、専門家を含む第三者機関などにて該２次元データを明確に検証し得るようにするとともに、施工状況を３次元画像を含んでＷｅｂサイトにてリアルタイムに公開して、設計通りの施工かどうかリアルタイムに検証することができるようにして、打設コンクリート中の鉄筋径，本数，被り厚等を施工後も検証を可能にすることで、耐震強度等の不足のない建築物，構造物を築造するようにしたことを特徴とする新規施工の建築物，構築物の設計，施工の検証方法。
【請求項２】
３次元ビジュアルに基づいて設計を含む２次元データを変更する請求項１に記載の新規施工の建築物，構築物の設計，施工の検証方法。
【請求項３】
施工管理者を第三者から選定する請求項１に記載の新規施工の建築物，構築物の設計，施工の検証方法。
【発明の詳細な説明】
【技術分野】
【０００１】
この発明は、新規に建築物，構築物を築造するに当って、設計と施工のすべてを第三者機関を含む関係者において明確に検証することの可能な検証方法の確立に関するものである。
【背景技術】
【０００２】
建築物の耐震偽装の発覚、その他欠陥住宅の問題発生などにより、新規に施工される建築物・構築物に建築基準法に定められた耐震強度があるのかどうか、また設計図どおりに施工されているのかどうか、設計自体に誤りはないかなどの疑問が生じている。また基礎杭が支持地盤に到達しているのか不明であったり、鉄筋径や本数もコンクリート打設後には確認するすべがなく、柱や梁あるいは壁の厚さも仕上げ材等に阻まれて確認できず、使用材料の材質や試験結果も知らされないために強度不足の心配が払拭されない不安がつきまとっている。
【０００３】
従来、建築物，構造物の施工に必要な図面は、全て平面的な２次元データのため、奥行が読めず立体像として捉えるには専門の知識を必要としており、また２次元データではコンクリート，型枠，支保工など資材の数量の把握も容易でない。
また施工においてコンクリートを打設すると、内部の鉄筋の径や本数あるいは形状はもはや確認することが不可能で、設計通りの鉄筋が入っているかどうかを確認することができない。
施工現場の施工管理者はしばしば不在であることもあり、また管理者が施工業者から専任されることがあって公正な管理がされない場合がある。
行政における許認可は、国が認可した任意団体に委ねられている現況では、設計と施工が正しく行われていることを確認することが現実にはできていない。
【０００４】
本願発明者は特許第３６８５２４９号にて３次元設計システムを提案している。該発明はコンクリート製の３次元構造物を設計する設計システムであって、構造物の柱，壁，梁，スラブ，ハンチ等部材の種類，大きさや接続位置などの構造特質に基づいて構造物の躯体全体を直方体，円柱，円筒，三角柱等数種類の各ブロックに分類して下方のブロック部分より順次構造物の躯体全体に関する構造物情報を入力する情報入力手段と、入力された構造物情報より前記各ブロック間の接合情報を検出する手段と該接合情報より各ブロック間の干渉部分を検出する手段と検出した干渉部分について前記構造特質に基づきブロック間の勝負判定を行ってブロック間の重複部分を判断する手段と判断された重複部分について前記勝負判定による負部材の部分の長さや幅を調整する手段とをもってブロックごとに入力された部材情報をコンクリート製構造物に合致したコンクリート製構造物全体の構造要素ならびに部材間の接触面の面積情報を３次元データとして認識する構造物３次元データ検出手段と、該構造物の３次元データよりコンクリート構造部の各数量を計算するための情報を検出し且つ各ブロックごとのコンクリート型枠ならびに支保工の数量を計算する躯体数量検出手段および前記各手段の検出結果を表示／出力する結果表示手段とを備えていて、２次元データより３次元データを容易に生成して、建築物，構造物を立体像として捉えられるようにしたものである。
【特許文献１】特許第３６８５２４９公報
【発明の開示】
【発明が解決しようとする課題】
【０００５】
しかしながら、設計図等の２次元データを３次元データ化して検証を容易にしても第三者の専門知識を有する機関などによってチェックされることがなければ、設計および計算上の問題点，疑問を正すことはできないという課題がある。
また正しい設計図が完成しても施工中の誤りや問題の発生をチェックすることができるようにしていないと正しい施工ができないという課題がある。具体的には杭長と杭支持力が設計どおりか、鉄筋の材質や太さおよび本数が設計どおりか、部材の大きさや打設されたコンクリートの材質や強度が仕様書どおりか、鉄筋量やコンクリート量が、当初の積算どおりの量が使用されているかどうか、等々を容易に確認できるようにすることが必要であり、さらに問題と思われる部分が発生した場合のすみやかな報告と対応を容易にしなければならないという課題がある。そのためには設計図書類とともに施工現場状況をリアルタイムに公開して設計と施工を比較して検証することのできる方法を構築しなければならないという課題がある。
【課題を解決するための手段】
【０００６】
本発明は、建築物，構築物の新規施工に当って、作成した設計図書，構造計算書などの２次元データに基づいて施工すべき築造物の全体像とコンクリート，型枠，支保工などの材質を含む資材と数量および鉄筋径，本数，被り厚などを容易に把握するために、該２次元データを元にして３次元設計システムを用いて３次元ビジュアルを作成して、築造すべき全体像と各資材を箇別に積算し得るようにして、専門家を含む第三者機関などにて該２次元データを明確に検証し得るようにするとともに、施工状況を３次元画像を含んでＷｅｂサイトにてリアルタイムに公開して、設計通りの施工かどうかリアルタイムに検証することができるようにするとともに、打設コンクリート中の鉄筋径，本数，被り厚等を施工後も検証を可能にすることで、耐震強度等の不足のない建築物，構造物を築造するようにして、かかる課題を解決するようにしたのである。
【発明の効果】
【０００７】
本発明は、設計図等の２次元データを３次元データ化して専門家を含む第三者機関により明確に検証し得るようにしたので、設計上の疑問点，問題点の抽出を容易にして、設計と構造計算の間違い等を設計を含む２次元データに迅速に反映して改正することができるという効果を生ずる。
また施工状況を３次元画像を含んでＷｅｂサイトにてリアルタイムに公開して、設計通りの施工かどうかをリアルタイムに検証することができるようにしたので、要部を部分抽出して３次元ビジュアル化して現場の画像と比較することができることによって、専門家によらずとも容易に比較して照査することができるという効果を生ずる。
施工管理者を第三者から選定することにより、施工の管理を公正におこなうことができるという効果を生ずる。
【発明を実施するための最良の形態】
【０００８】
本発明は、建築物，構築物の新規施工に当って、作成した設計図書，構造計算書などの２次元データに基づいて施工すべき築造物の全体像とコンクリート，型枠，支保工などの材質を含む資材と数量および鉄筋径，本数，被り厚などを容易に把握するために、該２次元データを元にして３次元設計システムを用いて３次元ビジュアルを作成して、築造すべき全体像と各資材を箇別に積算し得るようにして、専門家を含む第三者機関などにて該２次元データを明確に検証し得るようにするとともに、施工状況を３次元画像を含んでＷｅｂサイトにてリアルタイムに公開して、設計通りの施工かどうかリアルタイムに検証することができるようにして、打設コンクリート中の鉄筋径，本数，被り厚等を施工後も検証を可能にすることで、耐震強度等の不足のない建築物，構造物を築造するようにしたのである。
【実施例１】
【０００９】
以下、図１乃至図２に基づいて本発明の方法とそのシステムを説明する。
（イ）構造検証（設計段階）
（１）設計図書（構造図および構造計算書ならびに特記仕様書）を分析する。
（２）３次元設計システムを用いてデータを入力し、３次元モデルを作成する。
（３）３次元モデルから自動でコンクリート・型枠・支保工の各数量を取得する。さらに、鉄筋の配筋情報を入力することで配筋の３次元図面ができるとともに鉄筋の数量と加工表が自動で積算される。
（４）建築物・構造物の主要構造部を抽出するとともに、作成された作業工程表とともに工事管理データベースを構築し、サーバに登録する。
（５）安全検証時に管理データを現場で取出しできるようにＰＤＡ（Personal Digital Assistants・個人用携帯形情報端末）と連携させる。
（６）設計図書を３次元設計システムで３次元ビジュアル化し、第三者機関でのピアチェック（専門家による検証）を容易にするとともに構造計算書のチェックを行う。なお事前に建主と設計を行う設計事務所と第三者機関との間に情報を共有する通信ネットワークを形成しておくのである。
（７）ピアチェックの結果をもとに問題点の抽出や修正箇所の指摘などの報告書を作成し、建主・設計者等の関係者に提出する。その検討後、（２）において設計等の２次元データに修正を施し、（３）（４）の工程に反映させて正確な３次元設計図を完成させる。
（８）（４）で最終的に作成されたデータベースを記録して関係者に対してＷｅｂ公開する準備を行う。
【００１０】
（ロ）安全検証（施工段階）
（ａ）施工管理者は当日の作業予定をサーバからＰＤＡに呼び出し、現場管理を行う。
（ｂ）建築物・構造物を支える杭等の地業工事に対して、材質や大きさ、長さあるいは本数等をＰＤＡで確認し、柱状図（ボーリング調査で得られた地質・地盤等のデータ図面）と照合する。
（ｃ）現場にて、杭の材質・杭径・杭長あるいは、打ち込みの位置と本数を確認する。また、打ち込まれた杭の支持力を試験にて確認する。
（ｄ）（ｃ）における現場の状況や試験結果などはＰＤＡに付随しているカメラで撮影した画像を含めてデータ入力を行う。
（ｅ）建築物・構造物の主要構造部の大きさや使用する鉄筋径や本数などをＰＤＡで確認したり、コンクリートの打ち込み計画を確認する。
（ｆ）主要構造部に配置された鉄筋の径・本数あるいは主要部材の大きさを確認し、問題があれば関係者に問題点の指摘を行い、修正後の報告と確認を行う。
（ｇ）（ｆ）における現場の状況や試験結果などを、ＰＤＡに付随しているカメラで撮影した画像を含めてデータ入力を行う。
（ｈ）当日の監理業務結果をＰＤＡからサーバに移動し、データベースに登録する。
（ｉ）建築物・構築物の完成（部分または全体）。
（ｊ）（ｈ）で登録されたデータを関係者にＷｅｂで公開する。
（ｋ）第三者機関が、必要に応じて公開されたデータを確認する。
（ｌ）（ｋ）において、問題点の抽出や修正箇所の指摘などの報告書を作成し、関係者に提出する。その後（ａ）において修正作業を指示し、作業後の確認を行う。
（ｍ）完成した建築物・構造物を、目視で検証したり非破壊検査による内部の調査を実施し、性能検査を行い、Ｗｅｂに登録し関係者に公開する。
【００１１】
以上のように、設計図書の２次元データに基づいて３次元モデルを作成する３次元設計手段と、該３次元設計手段は鉄筋の配筋情報を入力する手段と該入力情報と３次元モデルのデータから３次元ビジュアル化する手段とコンクリート，鉄筋等の数量を自動で積算する手段および各手段の検出結果を部分的な主要構造部・検査項目の抽出を含んで表示／出力する結果表示手段とを備え、該３次元ビジュアルと積算数値等のデータ公開によりピアチェック検証する手段とその結果を対応する２次元データにフィードバックして修正し、修正されたデータを元に適正な３次元データを再構成して完成させる手段と、３次元ビジュアルおよび積算数値を含む３次元データを記録し保存する手段と保存されたデータを抽出して取出し且つ施工状況および検査結果等のデータを画像を含んで入力して取出した元のデータと関連付けして記録保存する手段と、これらのデータをリアルタイムにＷｅｂサイトに公開する手段とを具備することにより、新規施工の建築物，構築物の設計から施工および完成後の維持管理までを一元的に検証確認し得て管理することができることとなるのである。
【００１２】
完成した３次元の設計図から積算される資材の数量等をデータベース化するとともに施工における作業工程表と工事管理データを作成し、構造物３次元設計システムを連動させて主要構造部における検査項目を抽出し、Ｗｅｂサイト上に公開することで、関係者にリアルタイムに公表することができることとなって現場の進捗度に応じた鉄筋やコンクリートの量を照査・確認し管理して不正や施工の間違いを防止することができるようにするとともに、データの登録保存により施工後の確認も容易にできるようにしたのである。設計から施工のすべてのデータがわかりやすく公開されるので建主・買主の不安は払拭されることとなる。また現場は場所がせまく、予め多くの材料等を用意しておくことができないために都度の注文・搬入となるが、作業工程表と工事管理データに沿い且つ現場状況を確認しながら準備と施工をすることによって遺漏なくスムースに工事を進行することができることとなる。
【産業上の利用可能性】
【００１３】
本発明の検証方法は、あらゆる新規施工の建築物，構築物の設計，施工および完成後の管理において利用することができる。
【図面の簡単な説明】
【００１４】
【図１】設計段階における構造検証の構成を示す説明図
【図２】施工段階における安全検証の構成を示す説明図
【図１】
2007304679.tif 000003
【図２】
2007304679.tif 000004